【事件の表示】
　特許第２７９１３１４号「カラー画像処理装置及び方法」の請求項１ないし５に係る特許に対する特許異議の申立てについて、次のとおり決定する。
【結　論】
　訂正を認める。
　特許第２７９１３１４号の請求項１ないし５に係る特許を維持する。
【理　由】
１．手続の経緯
　特許第２７９１３１４号の請求項１ないし５に係る発明についての出願は、平成１年１０月３１日に特許出願した特願平０１−２８５８９４号（以下、「原出願」という。）の一部を平成８年１０月３１日に新たな特許出願とし、平成１０年６月１２日にその発明について特許の設定登録がなされた後、その特許について特許異議申立人鵜久森須惠子より特許異議の申立がなされ、取消理由通知がなされ、その指定期間内である平成１１年８月２４日に訂正請求がなされ、訂正拒絶理由通知がなされ、その指定期間内である平成１１年１１月２９日に手続補正がなされ、再度の取消理由通知がなされ、その指定期間内である平成１２年５月２５日に平成１１年８月２４日になされた訂正請求が取り下げられるとともに、改めて訂正請求がなされたものである。
　
２．訂正の適否についての判断
（１） 訂正の内容
　特許権者が求めている訂正の内容は、以下ア〜カの通りのものである。
ア． 特許請求の範囲の請求項１における「画像データを入力する入力手段（中略）入力された画像データが（中略）所定の画面単位で（中略）前記画像データをカラー圧縮するかモノクロ圧縮するかを前記所定の画面単位で選択し、」を「複数ページ分の画像データを入力する入力手段（中略）入力された複数ページ分の画像データが（中略）ページ単位で（中略）前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、」と訂正する。
イ． 特許請求の範囲の請求項５における「画像データを入力し、入力された画像データから（中略）所定の画面単位で（中略）前記画像データをカラー圧縮するかモノクロ圧縮するかを前記所定の画面単位で選択し、」を「複数ページ分の画像データを入力し、入力された複数ページ分の画像データから（中略）ページ単位で（中略）前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、」と訂正する。
ウ． 明細書第６段落における「伝送される画像の圧縮方法を容易な伝送単位で切り換える」を「複数ページからなる原稿を送信する際に、各ページの画像データに施す圧縮アルゴリズムを容易な伝送単位で切り換える」と訂正する。
エ． 明細書第８段落の「画像データを入力する入力手段…（中略）…入力された画像データが（中略）所定の画面単位で（中略）前記画像データをカラー圧縮するかモノクロ圧縮するかを前記所定の画面単位で選択し、」を「複数ページ分の画像データを入力する入力手段（中略）入力された複数ページ分の画像データが（中略）ページ単位で（中略）前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、」と訂正する。
オ． 明細書第６８段落における「また、（中略）できる。」を削除する。
カ． 明細書第６９段落における「所定の画面単位で判別し（中略）画像データをカラー圧縮するかモノクロ圧縮するか（中略）圧縮方法を」を「ページ単位で判別し（中略）画像データをカラー画像用圧縮アルゴリズムを用いて圧縮するかモノクロ画像用圧縮アルゴリズムを用いて圧縮するか（中略）圧縮アルゴリズムを」と訂正する。
　
（２） 訂正の目的の適否、新規事項の有無及び拡張・変更の存否
　ア、イの訂正は、「ページ単位」であることを明確にするとともに、明細書第１９段落に記載の「カラー圧縮部３１３においては、ブロック符号化やベクトル量子化等の圧縮アルゴリズムを用いて、色情報を含む画像データの圧縮が行われる。また、白黒圧縮部３１５においては、ＭＨ，ＭＲなど通常白黒のファクシミリ装置で用いられている圧縮アルゴリズムによりデータ圧縮が行われる。」を根拠に「選択に応じた圧縮」の内容を限定して明確にするものである。したがって、請求項１及び請求項５に係る発明を下位概念に限定するものであるので、特許請求の範囲の減縮及び明りようでない記載の釈明に該当する。
　また、ウ、エ、カの訂正は、請求項１及び５の訂正に対応するものであり、明りようでない記載の釈明に該当する。
　さらに、オの訂正は、「所定の画面単位」の定義として「ページ単位」を示唆する明細書第４段落、同第５段落と矛盾する、「半頁毎」の定義を包含する旨の記載を有する第６８段落を削除するものであり、明りようでない記載の釈明に該当する。
　したがって、上記訂正は、特許請求の範囲の減縮及び明りようでない記載の釈明に該当し、新規事項の追加に該当せず、実質的に特許請求の範囲を拡張又は変更するものではない。
　
（３） 独立特許要件の判断
　特許査定時の請求項１及び請求項５に係る発明に対して、当審が通知した、請求項１及び５における「選択に応じた圧縮」及び「所定の画面単位」がどのようなものか不明瞭である旨の取消理由は、上記訂正により解消された。
　そして、訂正後の本件請求項１及び請求項５に係る発明については特許出願の際に独立して特許を受けることができないとする理由は見当たらない。
　
（４） むすび
　以上のとおりであるから、上記訂正は、特許法第１２０条の４第２項及び同条第３項において準用する第１２６条２−４項の規定に適合するので、当該訂正を認める。
　
３． 特許異議の申立てについての判断
（１） 申立ての理由の概要
　特許異議申立人鵜久森須惠子は、請求項１ないし５に係る発明は、甲第１号証（特開平０１−１９４５７０号公報）をもとに容易に発明をすることができたものであるから、特許法第２９条第２項の規定に該当するものであり、同法第１１３条第２号の規定により、請求項１ないし５に係る発明の特許は取り消されるべきである旨主張している。
　
（２） 判断
ア． 本件発明
　訂正明細書の請求項１ないし５に係る発明は、その特許請求の範囲の請求項１ないし５に記載された、以下のとおりのものである。
「【請求項１】複数ページ分の画像データを入力する入力手段と、該入力手段により入力された複数ページ分の画像データがカラー画像を示すものであるかモノクロ画像を示すものであるかページ単位で判別する判別手段と、該判別手段により判別された結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行う圧縮手段と、該圧縮手段により圧縮された画像データを伝送する伝送手段とを有することを特徴とするカラー画像処理装置。
【請求項２】更に、原稿を読み取り前記画像データを発生する発生手段とを有することを特徴とする請求項１に記載のカラー画像処理装置。
【請求項３】更に、前記圧縮手段で行う圧縮方法の選択を、前記判別手段の判別結果に関わらずマニュアル指定に基づいて行うマニュアル指定手段を有することを特徴とする請求項１に記載のカラー画像処理装置。
【請求項４】更に、前記圧縮手段によりカラー圧縮もしくはモノクロ圧縮された画像データを格納する格納手段とを有することを特徴とする請求項１に記載のカラー画像処理装置。
【請求項５】複数ページ分の画像データを入力し、入力された複数ページ分の画像データからカラー画像を示すものであるかモノクロ画像を示すものであるかページ単位で判別し、前記判別の結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行い、圧縮された画像データを伝送することを特徴とするカラー画像処理方法。」
　
イ．甲第１号証記載の発明
　特許異議申立人鵜久森須惠子は下記（イ）を除いて根拠となる記載部分を摘記していないが、甲第１号証には以下のことが記載されている。
（ア）「送信原稿を複数の色に分離して読取る読取走査部と、この読取走査部で得られた画信号から前記送信原稿がカラー原稿であるか否かを判別するカラー／モノトーン判別部と、このカラー／モノトーン判別部によって送信原稿がカラー原稿ではないと判別されたときには前記読取操作部で得られた画信号からモノトーン画信号を形成するモノトーン画信号形成部と、前記カラー／モノトーン判別部によって送信原稿がカラー原稿であると判別されたときには前記読取走査部で得られた画信号を回線に送出し、カラー原稿ではないと判別されたときには前記モノトーン画信号形成部で形成されたモノトーン画信号を回線に送出する通信制御部とを具備したことを特徴とするファクシミリ装置。」（特許請求の範囲）
（イ）「そこでカラー原稿とモノトーン原稿とを区別する選択スイッチを設け、オペレータが送信原稿に応じてこの選択スイッチを切換えることによって送信信号をカラー画信号あるいはモノトーン画信号として切換えることが考えられている。」（第１頁右下欄第１９行〜第２頁左上欄第３行）
（ウ）「ページメモリ９は送信時においては読取走査部３で得られた画信号を一時的に格納する。」（第２頁右下欄第１０〜１２行）
（エ）「符号化部４はモノトーン画信号形成部を有したものであり、ページメモリ９に格納された画信号をカラー／モノトーン判別部７の判別結果に基いて、そのままあるいはモノトーン画信号に変換してから符号化するものである。」（第２頁右下欄第１８行〜第３頁左上欄第２行）
（オ）「通信制御部１２は、変復調回路（ＭＯＤ）と網制御回路（ＮＣＵ）とから成り、送信時においては符号メモリ１１に格納された画データを変調して回線１４へと送出する。」（第３頁右上欄第３〜６行）
（カ）「このようにした得られた画信号は一旦ページメモリ９に格納される。このとき、画信号は同時にカラー／モノトーン判別部７にも供給され、送信原稿がカラー原稿か否かが判別される。」（第３頁左下欄第第１５〜１９行）
　
　したがって、甲第１号証には、特許異議申立人鵜久森須惠子が主張する下記の事項が記載されていると認められる。
ａ．送信原稿を読み取ることにより画像データを発生させ入力する読取走査部（３）
ｂ．読み取られた画像データから送信原稿がカラー原稿であるか否か、すなわちカラー原稿であるかモノトーン原稿であるかを判別するカラー／モノトーン判別部（７）
ｃ．判別結果に基づいてページメモリ（９）に格納された画像データをそのまま、あるいはモノトーン画像データに変換してから符号化する符号化部（４）
ｄ．符号化された画像データを回線（１４）に送出する通信制御部（１２）
ｅ．カラー原稿とモノトーン原稿とを区別する選択スイッチを設けること
ｆ．ページメモリ（９）に格納する画像データをそのまま、あるいはモノトーン画像データに変換してから符号化したデータを一時的に格納する格納メモリ（１１）
ｇ．読取走査部（３）が送信原稿から画像を読み取ってページメモリ（９）に格納し、
ｈ．カラー／モノトーン判別部（７）がその画像データから送信原稿がカラー原稿であるかモノトーン原稿であるか判別し、
ｉ．符号化部（４）がその判別結果に基づいてページメモリ（９）に格納された画像データをそのまま、あるいはモノトーン画像に変換してから符号化し、
ｊ．通信制御部（１２）が符号化された画像データを回線（１４）に送出する。
　
ウ． 対比・判断
　本件請求項１ないし５に係る発明と甲第１号証に開示された技術とを比較すると、後者には、本件請求項１に係る発明の「複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行う圧縮手段」及び本件請求項５に係る発明の「複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行」うことは記載されていなく、示唆もされていない。また、当該技術事項を示す他の証拠は挙げられていない。
　したがって、請求項１及び５、請求項１を引用する請求項２ないし４に係る発明は、甲第１号証をもとに容易に発明をすることができたものとはいえない。
　
（３） むすび
　以上のとおりであるから、特許異議申立ての理由及び証拠によっては本件請求項１ないし５に係る発明についての特許を取り消すことはできない。
　また、他に本件請求項１ないし５に係る発明についての特許を取り消すべき理由を発見しない。
　よって、結論のとおり決定する。
【異議決定日】
平成１２年６月１９日（２０００．６．１９）
【訂正の要旨】
訂正の要旨
　ａ．特許請求の範囲の請求項１における「画像データを入力する入力手段と、該入力手段により入力された画像データがカラー画像を示すものであるかモノクロ画像を示すものであるか所定の画面単位で判別する判別手段と、該判別手段により判別された結果に応じて、前記画像データをカラー圧縮するかモノクロ圧縮するかを前記所定の画面単位で選択し、選択に応じた圧縮を行う圧縮手段と、該圧縮手段により圧縮された画像データを伝送する伝送手段」を、特許請求の範囲の減縮、及び明瞭でない記載の釈明を目的として、「複数ページ分の画像データを入力する入力手段と、該入力手段により入力された複数ページ分の画像データがカラー画像を示すものであるかモノクロ画像を示すものであるかページ単位で判別する判別手段と、該判別手段により判別された結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行う圧縮手段と、該圧縮手段により圧縮された画像データを伝送する伝送手段」と訂正する。
　ｂ．特許請求の範囲の請求項５における「画像データを入力し、入力された画像データからカラー画像を示すものであるかモノクロ画像を示すものであるか所定の画面単位で判別し、前記判別の結果に応じて、前記画像データをカラー圧縮するかモノクロ圧縮するかを前記所定の画面単位で選択し、選択に応じた圧縮を行い、圧縮された画像データを伝送することを特徴とするカラー画像処理方法。」を特許請求の範囲の減縮、及び明瞭でない記載の釈明を目的として、「複数ページ分の画像データを入力し、入力された複数ページ分の画像データからカラー画像を示すものであるかモノクロ画像を示すものであるかページ単位で判別し、前記判別の結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行い、圧縮された画像データを伝送することを特徴とするカラー画像処理方法。」と訂正する。
　ｃ．明細書第６段落における「伝送される画像の圧縮方法を容易な伝送単位で切り換える」を明瞭でない記載の釈明を目的として、「複数ページからなる原稿を送信する際に、各ページの画像データに施す圧縮アルゴリズムを容易な伝送単位で切り換える」と訂正する。
　ｄ．明細書第８段落における「画像データを入力する入力手段と、該入力手段により入力された画像データがカラー画像を示すものであるかモノクロ画像を示すものであるか所定の画面単位で判別する判別手段と、該判別手段により判別された結果に応じて、前記画像データをカラー圧縮するかモノクロ圧縮するかを前記所定の画面単位で選択し、選択に応じた圧縮を行う圧縮手段と、該圧縮手段により圧縮された画像データを伝送する伝送手段」を明瞭でない記載の釈明を目的として、「複数ページ分の画像データを入力する入力手段と、該入力手段により入力された複数ページ分の画像データがカラー画像を示すものであるかモノクロ画像を示すものであるかページ単位で判別する判別手段と、該判別手段により判別された結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行う圧縮手段と、該圧縮手段により圧縮された画像データを伝送する伝送手段」と訂正する。
　ｅ．明細書第６８段落における「また、カラー／白黒の判定は、頁毎でなくてもよい。即ち、一定頁以上まとめて判定してもよいし、半頁毎に判定してもよい。後者の場合、判定の単位が小さくなるにつれて一頁中のカラー部分、白黒部分を分離することができ、それぞれに適した圧縮方法をとることができる。」を明瞭でない記載の釈明を目的として削除する。
　ｆ．明細書第６９段落における「所定の画面単位で判別し、判別結果に応じて画像データをカラー圧縮するかモノクロ圧縮するかを選択するので、伝送される画像の圧縮方法を容易な伝送単位で切り換えることができる。」を明瞭でない記載の釈明を目的として、「ページ単位で判別し、判別結果に応じて画像データをカラー画像用圧縮アルゴリズムを用いて圧縮するかモノクロ画像用圧縮アルゴリズムを用いて圧縮するかを選択するので、伝送される画像の圧縮アルゴリズムを容易な伝送単位で切り換えることができる。」と訂正する。
（５４）【発明の名称】
カラー画像処理装置及び方法
（５７）【特許請求の範囲】
　【請求項１】　複数ページ分の画像データを入力する入力手段と、
　該入力手段により入力された複数ページ分の画像データがカラー画像を示すものであるかモノクロ画像を示すものであるかページ単位で判別する判別手段と、
　該判別手段により判別された結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行う圧縮手段と、
　該圧縮手段により圧縮された画像データを伝送する伝送手段とを有することを特徴とするカラー画像処理装置。
　【請求項２】　更に、原稿を読み取り前記画像データを発生する発生手段とを有することを特徴とする請求項１に記載のカラー画像処理装置。
　【請求項３】　更に、前記圧縮手段で行う圧縮方法の選択を、前記判別手段の判別結果に関わらずマニュアル指定に基づいて行うマニュアル指定手段を有することを特徴とする請求項１に記載のカラー画像処理装置。
　【請求項４】　更に、前記圧縮手段によりカラー圧縮もしくはモノクロ圧縮された画像データを格納する格納手段とを有することを特徴とする請求項１に記載のカラー画像処理装置。
　【請求項５】　複数ページ分の画像データを入力し、入力された複数ページ分の画像データからカラー画像を示すものであるかモノクロ画像を示すものであるかページ単位で判別し、前記判別の結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行い、圧縮された画像データを伝送することを特徴とするカラー画像処理方法。
【発明の詳細な説明】
　【０００１】
　【発明の属する技術分野】
　本発明は、カラー画像データを伝送することができるカラー画像処理装置及び方法に関するものである。
　【０００２】
　【従来の技術】
　従来、モノクロＦＡＸが広く普及しており、更にはカラー画像を伝送したいという要望もある。
　【０００３】
　また、画像データを伝送する際には圧縮を行うことにより伝送量、伝送時間を減少させることが望ましい。
　【０００４】
　従来、１画面の原稿を複数ブロックに分割し、各ブロックがカラー画像であるかモノクロ画像であるかを自動的に判別した結果に応じて、カラー画像として圧縮するかモノクロ画像として圧縮するかを選択し、選択に応じた圧縮を行うという圧縮技術が知られている。
　【０００５】
　【発明が解決しようとする課題】
　しかしながら、従来の技術範囲内でカラー画像処理装置を構成すると、伝送される原稿の一部をカラー画像として圧縮し、残りの部分をモノクロ画像として圧縮して伝送しなければならず、伝送先で各部分の圧縮方法の異なる圧縮データを処理することが困難であるという問題があった。
　【０００６】
　本発明は上記問題点を解決する為に成されたものであり、複数ページからなる原稿を送信する際に、各ページの画像データに施す圧縮アルゴリズムを容易な伝送単位で切り換えることを目的とする。
　【０００７】
　また、上記目的を達成でき、かつ原稿がカラー画像かモノクロ画像かに関わらず所望の圧縮方法を選択することも可能とすることを別の目的とする。
　【０００８】
　【課題を解決するための手段】
　上述の課題を解決する為、本発明の請求項１に記載のカラー画像処理装置によれば、複数ページ分の画像データを入力する入力手段と、
　該入力手段により入力された複数ページ分の画像データがカラー画像を示すものであるかモノクロ画像を示すものであるかページ単位で判別する判別手段と、
　該判別手段により判別された結果に応じて、前記複数ページ分の画像データをカラー画像用圧縮アルゴリズムを用いて圧縮するか該カラー画像用圧縮アルゴリズムとは異なるモノクロ画像用圧縮アルゴリズムを用いて圧縮するかを前記ページ単位で選択し、選択に応じた圧縮を行う圧縮手段と、
　該圧縮手段により圧縮された画像データを伝送する伝送手段とを有することを特徴とする。
　【０００９】
　【発明の実施の形態】
　（第１の実施の形態）
　図１はカラーファクシミリの送信局における基本色分解装置の一例を示した図である。この図において１は彩色された原稿、２は光源、３ａ，３ｂはハーフミラー、４ａ，４ｂ，４ｃはレンズ、５ａ，５ｂ，５ｃはそれぞれ赤（Ｒ）、緑（Ｇ）、青（Ｂ）のフィルタ、１２は色分解光電変換部をそれぞれ示している。
　【００１０】
　原稿１は光源２から発した光によって照らされ、その反射光はまず第１のハーフミラー３ａによってその一部が矢印イ方向に分岐される。そして赤フィルタ５ａを通って赤色成分光となり、赤色用センサ６ａで光電変換され赤色対応電気信号として端子７ａに出力される。さらにハーフミラー３ａを矢印ニ方向に透過した光のうちの一部は第２のハーフミラー３ｂによってその一部が矢印ロ方向に分岐され、緑フィルタ５ｂを通る結果、緑色成分光となり、緑色用センサ６ｂで光電変換されて緑色対応電気信号として端子７ｂに出力される。また上記第２のハーフミラー３ｂを透過して矢印ハ方向に進んだ光は青フィルタ５ｃを通る結果、青色成分光のみとなり、青色用センサ６ｃで光電変換されて青色対応電気信号として端子７ｃに出力される。
　【００１１】
　このようにして色分解がなされて得られた各色信号成分はすべてアナログ量であるので、例えばこれらはそれぞれ専用の増幅器８ａ，８ｂ，８ｃに通された後、やはり専用のＡ／Ｄ変換器９ａ，９ｂ，９ｃに入力され、各々ディジタル化がなされる。ここではそのディジタル化された信号をＶＲ，ＶＧ，ＶＢとして示してある。
　【００１２】
　これら信号ＶＲ，ＶＧ，ＶＢは色信号送出制御装置１０に入力され、デコーダ１８が有する時分割機能を利用して図２に示したように、例えば原稿１の横第１行の例えば左端の部分像の信号から右方向の信号へ、ＲＧＢ，ＲＧＢ，…として示したように、第１ビット、第２ビット、第３ビット…の順に時系列信号となされて回線１１へ送出される。
　【００１３】
　しかしながら、現状ですでに広く普及しているファクシミリ局の装置はモノクロ方式であるために、上記のような一方式例で色分解を行っても相手局がカラー再生機能を持っていないモノクロ局であるならば、色識別能力がないために画像は正常に再生できず前記したように画像の送受が不可能となるという欠点があった。ただしファクシミリ信号を合成してカラー再生すること自体は不可能なことではなく、図１に示した送信系統の信号送出制御装置１０を信号受信制御装置に置き替えると共に各色信号の伝達経路を逆にして色信号合成を行うことは容易である。ただ障害となっていることは現在普及しているファクシミリ局のほとんどがモノクロ方式であることであってこれによって上記のような不都合が生じているのが実情である。
　【００１４】
　図３は、本実施の形態の画像通信装置のブロック図である。
　【００１５】
　まず初めにカラーファクシミリの全体の流れを図に沿って説明する。
　【００１６】
　送信時には３０１のスキャナー部で原稿を光学的に色分解しつつＣＣＤ等の光電変換素子により電気信号に変換し、Ａ／Ｄコンバータによりアナログ／デジタル変換する。デジタル化された３色の反射原稿信号は光源、光電変換素子のバラツキ等を補正するためのシェーディング回路を通り、例えばＮＴＳＣの分光特性にあわせるため入力色修正回路に入り、３×３マトリックス等により色補正される。ここまでは各色信号は多値データ（例えば１色８ｂｉｔの２４ｂｉｔデータ）であるが伝送路が現状では狭帯域のため伝送時間がかかりすぎるため分解能を４００ｄｐｉにして２値化データで伝送するのが実用的である。従ってここでも画像データは２値化されたものとしてスキャナ３０１から出るものとする。従ってスキャナ３０１の出口では１画素についてＮＴＳＣ信号のＲＧＢ各１ｂｉｔで、３色合計３ｂｉｔ／ｐｉｘｅｌで出力されるものとする。
　【００１７】
　スキャナ３０１からの出力データはコントローラー３０６内のバッファメモリ３１１に入る３１１は数ライン分のデータを格納する部分である。３１２は原稿が白黒原稿かカラー原稿かを判別する回路であり、白黒原稿とカラー原稿の自動判別の結果又は操作パネル３０３のカラー／白黒切替えボタンによる手動の設定に基づき、原稿色分解データをカラー圧縮３１３に流すか白黒圧縮３１５に流すかを切替えるものである。このカラー／白黒判別部３１２は図４に示すように判定回路２０１と、その判定結果によって、ＢＶＦ３１１からのデータをカラー白黒変換部３１４（Ａ側）又はカラー圧縮部３１３（Ｂ側）のいずれかを選択するセレクタ２０２、マニュアルでカラー／白黒の設定を行う操作部２０３により構成される。セレクタ２０２はカラー／白黒判定回路２０１の出力が０の場合（白黒）にはＡ側を、２０１の出力が１の場合（カラー）にはＢ側を選択する。またマニュアル設定される場合にはこの判定回路２０１の判定に優先して操作部２０３からのマニュアル設定が行われ、セレクタのＳ０の値にかかわらず、操作部２０３からの設定がＳ１＝０（白黒）の場合にはＡ側がＳ１＝１（カラー）の場合にはＢ側が選択される。
　【００１８】
　３１４は３１２の自動又は手動によるカラー／白黒の判別で白黒原稿と判定されたデータを３色カラー信号から白黒信号に変換する回路である。
　【００１９】
　カラー圧縮部３１３においては、ブロック符号化やベクトル量子化等の圧縮アルゴリズムを用いて、色情報を含む画像データの圧縮が行われる。また、白黒圧縮部３１５においては、ＭＨ，ＭＲなど通常白黒のファクシミリ装置で用いられている圧縮アルゴリズムによりデータ圧縮が行われる。
　【００２０】
　このとき手動又は自動で白黒データになっていれば相手がＧ３、Ｇ４であってもＧ３，Ｇ４の標準圧縮が白黒圧縮部３１５でなされていれば伝送可能である。Ｇ４はＩＳＤＮ用デジタル回線に対しＧ３は電話回線を利用したアナログ回線のためモデムが必要になる。
　【００２１】
　同様にしてＧ４，Ｇ３から送られた白黒データはハードディスク３１６に格納され白黒、伸長器３１７を経由して復号化される。このときは黒一色のデータであるから、４色同時記録インクジェットプリンタ３０２の様な場合にはイエロー（Ｙ）、マゼンタ（Ｍ）、シアン（Ｃ）のデータを印刷しない０、Ｙ＝Ｍ＝Ｃ＝０とし付加しバッファメモリ３２３に送る。黒ＫはＫ＝１−Ｙｅで計算される。Ｙｅについては後述する。これによりカラー記録時と全く同じ扱いができることになる。
　【００２２】
　送られたデータがカラーデータのときはハードディスク３１６からカラー復号器３１９を通じＮＴＳＣ信号からプリンタ３０２の色材にあわせた３２０において色修正と黒生成を行う。色修正部３２０からの出力は多値化されているため濃度保存型の２値化回路３２１により４色の４ｂｉｔ／ｐｉｘｅｌデータが出力バッファメモリＢＵＦ３２３に入る。
　【００２３】
　ＢＵＦ３２３からのデータは白黒データのときもカラーデータのときも４ｂｉｔ／ｐｉｘｅｌで出力される。３０２はカラープリンタ部で例えばインクジェット記録を用いＹ，Ｍ，Ｃ，Ｋの４色のヘッドを４本並べ同時に記録するプリンタである。従ってコントローラ３０６からのＹＭＣＫ４ｂｉｔ／ｐｉｘｅｌデータ３０８はヘッドのレジストレーション部のバッファリングを行って４色印刷されることになる。白黒の時はＹ＝Ｍ＝Ｃ＝０でＫの０ｏｒ１に応じ印刷される。
　【００２４】
　以上で本実施の形態のカラーファクシミリの概要説明を終え、本実施の形態の中心部分の白黒自動判別手段と、カラー画像信号から白黒画像信号を生成する方法について説明する。
　【００２５】
　図６はカラー白黒原稿自動判別回路の一例を示すものである。４０１は２値化されたＮＴＳＣのＲＧＢ３ｂｉｔ／ｐｉｘｅ１信号がくるものとする。ある点（ｉ，ｊ）でのデータ値をｒ，ｇ，ｂとする。４０２は多値化変換部で、例えば２ｎ＋１，２ｍ＋１画素で多値化すると（１）式のようになる。
　【００２６】
　【外１】
　これは４０１の入力信号は０ｏｒ１の２値化信号なので、１画素ごとの色は計算しにくいし、１画素毎の白黒／カラーの判定の必要もない。必要なのは、ある平均面積内での色はどうなのかである。あまりｎ，ｍを大きくすると色文字等の色文字のついた細線部で誤判定をするのでｎ＝ｍ＝１〜１０ぐらいの値が妥当である。（１）で多値化されたデータはＮＴＳのＲ，Ｇ，ＢとＣＩＥのＸＹＺとの変換を（２）で行い、（２）の結果を用いて（３）により明度しと色ａ，ｂを計算する。
　【００２７】
　【外２】
　【００２８】
　また、色成分は（４）により与えられる。
　【００２９】
　【外３】
　【００３０】
　図６において４０２は（１）の計算を４０３は（２）の計算を４０４は（３）の計算を４０５は（４）の計算を行う回路である。４０６は無彩色範囲をきめる回路で１≦ａ（０＜ａ＜２５５）で無彩色即ち、白黒原稿と判断する場合には４０６のしきい値ｔｈはａとなる。４０７は積算器で、各画素の色がｔｈ＞ａとなる量をカウントし一定画素数以上ならばカラー、それ以下ならば白黒原稿と判断する。ここで一定画素数を基準としたのは、スキャナ３０１の読み取り誤差等に伴う誤判定を防止するためである。
　【００３１】
　以上によって原稿がカラーか白黒かが判定される、これは原稿の各頁ごとに行うもので、従って自動判別時には１度カラー原稿とし読み取りもっぱら１頁分を判定回路３１２でデータを判定しつつ、カラー圧縮を通じハードディスク３１６にカラー圧縮した形でデータ格納し、１頁終了時点で積算器４０７のカウント数が少なく、白黒原稿とわかった時点で、ディスクに格納したデータをカラー伸長部３１９を通じカラー白黒判別部３１２にデータを入れる。このとき、これから流れるデータは白黒とわかっているからカラー白黒変換部３１４においてカラーデータを白黒変換し３１５白黒圧縮部を通じ再度ハードディスク３１６にデータを書き込む。先に入力したカラーデータはフィードバックしたデータの白黒変換後はデリートする。これによりハードディスク３１６には最小容量でデータ格納される。
　【００３２】
　図７はカラー２値データから白黒２値データを得る方法を説明する図である。例えば（Ｒ１、Ｇ１、Ｂ１）の１組を用いて白黒データを作成する。ここでＲＧＢはスキャナ３０１から出力された２値データである。この画像が操作パネル２０３から手動で白黒原稿モードに、又は３１２のカラー／白黒自動判別部より白黒原稿とされた時には（５）式により白黒信号を生成する。
　【００３３】
Ｙ１＝０．２９９Ｒ＋０．５８７Ｇ＋０．１１４Ｂ…（５）
　【００３４】
　ＲＧＢは２値データなので０ｏｒ１であるが０→０，１→２５５に変換し（５）式を計算する。Ｙ１≧１２８であれば白黒２値化データＫはＫ＝０（ドットを打たない）、Ｙ１＜１２８であればＫ＝１（ドットを打つ）とする。
　【００３５】
　（５）式は入力がＮＴＳＣ信号で色分解した信号である場合の式であるが、それ以外の信号を入力した場合には係数は変わるが基本的考え方は同様にして白黒信号を得られる。
　【００３６】
　以上のように、本実施の形態によれば原稿の白黒／カラーを手動又は自動で設定することにより白黒原稿の場合には白黒画像用の圧縮方法を用いカラー原稿の場合には、カラー画像用の圧縮方法を用いることにより、白黒原稿の場合に圧縮効率を大幅に向上させることができる。
　【００３７】
　また、カラー白黒変換部３１４を有することにより、原稿の一部に有彩色画素が存在する場合であっても、白黒用の圧縮アルゴリズムを用いることができる。また、これによって既存の白黒のＧ３，Ｇ４などのファクシミリとの交信が可能となる。
　【００３８】
　また、カラー白黒判別部３１２においては、自動判別に加えてマニュアル判別もできるようにしたので、カラー原稿であっても短時間に送受信したい場合やカラーで送る必要がない場合には、白黒用の圧縮アルゴリズムを用いて送受信することができる。
　【００３９】
　（第２の実施の形態）
　第２の実施の形態の基本構成も図３に示すのと同様である。
　【００４０】
　本実施の形態においては、第１の実施の形態でカラー／白黒判別の際に用いたＮＴＳＣのＲ，Ｇ，Ｂ信号からＬ，ａ，ｂ信号への変換のかわりにＨＬＳ信号への変換を用いる。
　【００４１】
　即ち図６のＬ，ａ，ｂへの変換のための回路４０３，４０４のかわりに図８に示す様なＨＬＳ変換部４０８を有する点を第１の実施の形態と異なる。
　【００４２】
　ここで、Ｒ，Ｇ，Ｂ信号からＨ，Ｌ，Ｓ信号への変換のための式は図９に示す通りである。そして色成分は（６）式により与えられる。
　【００４３】
　【外４】
　この１から無彩色範囲を決める方法は第１の実施の形態と同様である。
　【００４４】
　なお、Ｒ，Ｇ，Ｂ信号からの変換は上述のＬ，ａ，ｂ信号、Ｈ，Ｌ，Ｓ信号に限らず、Ｌ，ｕ，ｖ信号など画素毎の有彩／無彩を判定することのできるような明度信号と色味の信号に分けられたパラメータとすれば同様の判定を行うことができる。また、パラメータ変換をしなくても例えばＭａｘ（Ｒ，Ｇ，Ｂ）−Ｍｉｎ（Ｒ，Ｇ，Ｂ）空間における有彩色、無彩色の分布によってもカラー／白黒の判定ができる。
　【００４５】
　（第３の実施の形態）
　図１０は第１の実施の形態のカラー／白黒自動判別手段を有するカラーファックスの利用の一例を示すものである。６０１はＩＳＤＮ（デジタル通信網）、６０２はＰＳＴＮ（公衆電話回線）、６０４はＣ社６０３で使うカラー／白黒自動判別手段を有するカラーファクシミリである。Ａ社６０５ではカラーファックス（ＣＦＡＸ）６０６がＦｌｉｎｅを通じＩＳＤＮに接続され、Ｇ４白黒ファックス６０７がＥｌｉｎｅを通じ同じくＩＳＤＮに接続されているとする。Ｂ社６０８ではカラーＦＡＸ６０９がＣｌｉｎｅを通じＩＳＣＮに、Ｇ３白黒ＦＡＸ６１０がＤｌｉｎｅを通じＰＳＴＮに接続されているとする。
　【００４６】
　いま、Ｃ社６０３からＡ社６０５にカラー、白黒混在原稿を送るときＣＡＦＡＸ６０４はそのカラー白黒自動判別又は手動手段３１２によりカラーのときはＡｌｉｎｅを通じＩＳＤＮ経由でＥｌｉｎｅのカラーファックスに伝送出来、白黒原稿のときは６０７のＧ４白黒ＦＡＸに自動切替えし、高速で、高品位な白黒画像データを伝送出来る。同様にしてＢ社のにもカラー／白黒識別し別々のファックスに伝送出来るようになる。
　【００４７】
　本実施の形態を用いるＣＡＦＡＸ（６０４，６０６，６０９）は、第１の実施の形態で説明した画像通信装置である。また、Ａ社のＣＡＦＡＸ６０６，Ｇ４ＦＡＸ６０７に接続されるＥｌｉｎｅ，Ｆｌｉｎｅ、Ｂ社のＣＦＡＸ６０９，Ｇ３ＦＡＸ６１０に接続されるＣｌｉｎｅ，ＤｌｉｎｅはそれぞれアドレスによりカラーＦＡＸであるが、白黒ＦＡＸであるかが登録されており、送信側Ｃ社のＣＡＦＡＸ６０４で選択可能となっている。
　【００４８】
　そして、原稿がカラー画像と判別部３１２で判別された場合にはＣＦＡＸ６０６或はＣＦＡＸ６０９に対して送信し、白黒画像と判別された場合にはＧ４ＦＡＸ６０７或はＧ３ＦＡＸ６１０に対して送信する。
　【００４９】
　なお受信側のＡ社又はＢ社がカラーファクシミリしか有しない場合には、カラーファクシミリに送信し、白黒ファクシミリしか有しない場合には、カラー原稿と判定されても白黒圧縮３１５において白黒用の圧縮を行い送信することにより、多くの原稿中カラーはカラーファックスに、白黒原稿は白黒専用ファックスに伝送出来るようになり、通信スピード，画像，コスト等の面で非常に大きい効果をもたらす。
　【００５０】
　また、ＩＳＤＮ回線などでは、１つの回線に対して複数のサブアドレスの指定が可能でありそのサブアドレスに白黒とカラーのＦＡＸを設置してもよい。この場合、また、本実施の形態によれば、カラーファクシミリの現状の普及ぐあいからＧ４，Ｇ３機とも交信出来るようにカラー原稿中白黒原稿があれば自動的に白黒信号を作成し、白黒モードで圧縮し、圧縮効率を高め、さらに受信時に黒インク単色で記録することにより３色重ねての黒記録より文字部等の細線部のしまりをよくし、白黒原稿伝送時の高画質化をはかることができる。このためにカラー／白黒原稿自動判別手段を設け、更に操作パネル上に白黒設定スイッチを設け、これで白黒モードを設定することにより３色カラーデータから輝度信号を得、それを２値化することにより白黒データを得て、カラーファクシミリ以外の従来ファックスとの交信を実現することができる。
　【００５１】
（第４実施の形態）
　第４の実施の形態の画像処理装置の基本構成は第１の実施の形態と同様であるが、本実施の形態においてはカラー／白黒判別の方法が異なる。
　【００５２】
　即ち、第１の実施の形態においては、原稿の頁毎にカラー／白黒の判別を行ったが、このような判別方法を用いると複数頁からなる原稿にカラー頁と白黒頁が混在する場合に第３の実施の形態のように原稿の自動（又は手動）判別によって受信側のカラープリンタと白黒プリンタを選択して送信すると、１つの原稿が複数のプリンタに分散してしまい、特に白黒プリンタとカラープリンタが離れて設置されている場合に不都合が生じる。そこで、本実施の形態においては原稿毎にカラー／白黒の判別を行うことにより、係る問題を解決している。
　【００５３】
　図３を用いて本実施の形態の構成を説明する。
　【００５４】
　図３においてカラー／白黒判別部３１２は、第３の実施の形態同様頁毎に原稿のカラー／白黒を判定する。そして、カラーと判定された頁はカラー圧縮部３１３においてカラー画像圧縮のアルゴリズムで圧縮されハードディスク３１６に格納される。一方、白黒と判定された頁はカラー白黒変換部３１４を経て、白黒圧縮部３１５において、白黒画像圧縮のアルゴリズムを圧縮され、ハードディスク３１６と格納される。
　【００５５】
　ここで本実施の形態においては図５に示す様にカラー／白黒判定回路２０１の出力信号のうち出力１（即ちカラーと判定された頁）をカウントするカウンタ２０４を設け複数頁の判定を行った時点でカウンタ値が０の場合以外はその原稿全部をカラーファックス（図１０におけるＣＦＡＸ６０６，ＣＦＡＸ６０９）に送信してカラー出力を行う。本実施の形態によれば、原稿が複数頁からなる場合に頁毎ではなく原稿毎にカラー／白黒の判定を行うので、白黒／カラーの混在する原稿もまとめて１つの受信機に送信することができる。またその際に圧縮は白黒の頁は白黒画像の圧縮が行われるので通信時間の短縮、コストの低減を図ることができる。
　【００５６】
　（第５実施の形態）
　上記第３の実施の形態においては、受信側のファクシミリの種類を送信側にアドレスとしてあらかじめ登録しておき、原稿のカラー／白黒に応じて送信先を選択しているが、本実施の形態のように通信開始前の手順によって受信側のファクシミリの種類を確かめそれに応じて送信先のファクシミリを選択してもよい。
　【００５７】
　本実施の形態を図１１のフローチャートを用いて説明する。
　【００５８】
　まず色分解装置１２により１頁分の原稿を読み取り（Ｓ１）、次にカラー／白黒判別部３１２で原稿のカラー／白黒が判別される（Ｓ２）。カラー原稿と判定された場合にはカラー圧縮部３１３においてカラー画像圧縮が行われ（Ｓ３）、白黒原稿と判定された場合には、白黒圧縮部３１５において白黒画像圧縮（Ｓ４）が行われる。圧縮データはいずれの場合もハードディスク３１６に格納される。
　【００５９】
　原稿が複数頁にわたるときは、全頁についてこの処理をくり返し（Ｓ５）、終了したら受信側とのプロトコルに移る（Ｓ６）。
　【００６０】
　原稿が全て白黒であって（Ｓ７）受信側と白黒ＦＡＸがある場合（Ｓ８）には白黒のＦＡＸ（例えば図１０のＧ４ＦＡＸ６０５やＧ３ＦＡＸ６１）に送信する（Ｓ９）。また原稿が全て白黒であるが（Ｓ７）、受信側がカラーＦＡＸのみの場合（Ｓ８）には、カラーＦＡＸに白黒画像データを送信する（Ｓ１０）。このとき、受信側のカラーＦＡＸは図３に示すようにカラー伸長部３１９と白黒伸長部３１７の双方を有するので、白黒画像圧縮データを受信した場合も白黒の画像再生を行うことができる。
　【００６１】
　一方原稿の中に少なくとも一頁がカラーと判定され（Ｓ７）、受信側にカラーＦＡＸ（例えば図１０のＣＦＡＸ６０６、６０９）がある場合には（Ｓ１１）、カラーＦＡＸに送信する（Ｓ１２）、またカラーＦＡＸがない場合には、ハードディスク３１６に格納された画像データのうち、カラー画像圧縮の行われた部分をカラー伸長部３１９で伸長し、カラー白黒変換部３１４により白黒画像データに変換した後に白黒圧縮部３１５で白黒画像圧縮を行い再度ハードディスク３１６に格納する。このようにしてカラー部分を白黒圧縮に変更し（Ｓ１３）、白黒ＦＡＸに送信する（Ｓ１４）。
　【００６２】
　本実施の形態によれば送信側で原稿の白黒／カラー判別後、プロトコルによって、受信側の装置がカラー用が白黒用かを判断して送信を行うので、受信側の装置がいずれかあらかじめわかっていない場合であっても適切な選択を行うことができる。
　【００６３】
　また、原稿のカラー／白黒と受信側の装置のカラー／白黒の双方を考慮しているので、いずれか一方のみの判定に基づいて制御する場合に比べて一層の効率化を図ることができる。
　【００６４】
　なお、以上の実施の形態においては、入力信号をＲ，Ｇ，Ｂ信号としたが、入力信号はＹ（イエロー）、Ｍ（マゼンタ）、Ｃ（シアン）等の他の色成分信号の組み合わせであってもよい。
　【００６５】
　また、入力信号は原稿画像を直接読み取ったものでなくても例えば、コンピュータ出力や磁気ディスクを用いたファイルシステムの出力であってもよい。
　【００６６】
　また、上記実施の形態ではプリンタとしてＢＪ（バルブジェット）プリンタを用いたが、カラードットプリンタ、カラーインクジェットプリンタ、カラーレーザービームプリンタ、サイカラープリンタなどカラー画像形成可能なプリンタであればよい。
　【００６７】
　また、２値データの場合について説明したが、多値データの送受信の場合も原理は同様である。多値データの送受信を行う場合にはスキャナ３０１における２値化部カラー／白黒判別部３１２における多値化回路４０２が不要になる。
　【００６８】
　【発明の効果】
　以上説明した様に本発明によれば、画像データがカラー画像を示すものであるかモノクロ画像を示すものであるかページ単位で判別し、判別結果に応じて画像データをカラー画像用圧縮アルゴリズムを用いて圧縮するかモノクロ画像用圧縮アルゴリズムを用いて圧縮するかを選択するので、伝送される画像の圧縮アルゴリズムを容易な伝送単位で切り換えることができる。また、請求項３の発明によれば、上記効果に加えて原稿がカラー画像かモノクロ画像かに関わらず所望の圧縮方法を選択することもできる。
【図面の簡単な説明】
　【図１】
　本発明の第１の実施の形態の基本色分解装置の一例を示す図
　【図２】
　Ｒ，Ｇ，Ｂの時系列信号を示す図
　【図３】
　本発明のカラー画像処理装置の基本構成を示すブロック図
　【図４】
　図３におけるカラー／白黒判別部３１２の詳細図
　【図５】
　図３におけるカラー／白黒判別部３１２の詳細図
　【図６】
　カラー／白黒原稿自動判別回路を示すブロック図
　【図７】
　カラー２値データから白黒２値データの作成を示す図
　【図８】
　カラー／白黒原稿自動判別回路の別の例を示すブロック図
　【図９】
　Ｒ，Ｇ，Ｂ信号からＬ，Ｓ，Ｈ信号への変換式を示す図
　【図１０】
　本発明のカラー画像処理装置を用いたネットワークを示す図
　【図１１】
　本発明のカラー画像処理装置を用いて通信を行う場合のフローチャート
　【符号の説明】
３１２　カラー／白黒判別部
３１３　カラー圧縮部
３１５　白黒圧縮部